(57)【要約】【課題】空気清浄運転時に、適切な湿度値に補正して加湿を行うことができる加湿空気清浄機を提供する。【解決手段】加湿空気清浄機１は、本体ケース２と、本体ケース２に設けられて、浄化された空気を本体ケース２外に排出させる送風手段５３を有する空気清浄機構５０と、水を加熱して蒸気を発生させる加熱手段としてのヒータ６１を有する加湿機構６０と、本体ケース２外の温度と湿度を検出する温湿度検出手段としての温湿度センサ４５と、温湿度検出センサ４５により得られる本体ケース２外の湿度の値が、ヒータ６１のオン／オフと送風手段５３が浄化された空気を排出させる能力によりあらかじめ定められた湿度の補正値に基づいて補正される制御部１０を備える。【選択図】図４
2018040528.tif 000002
【特許請求の範囲】
【請求項１】
本体ケースと、
前記本体ケースに設けられて、浄化された空気を前記本体ケース外に排出させる送風手段を有する空気清浄機構と、
水を加熱して蒸気を発生させる加熱手段を有する加湿機構と、
前記本体ケース外の温度と湿度を検出する温湿度検出手段と、
前記温湿度検出手段により得られる前記本体ケース外の前記湿度の値が、前記加熱手段のオン／オフと前記送風手段が前記浄化された空気を排出させる能力によりあらかじめ定められた湿度の補正値に基づいて補正される制御部と、
を備えることを特徴とする加湿空気清浄機。
【請求項２】
前記加熱手段のオン／オフと前記送風手段が前記浄化された空気を排出させる能力に基づいて、運転モードが複数設定されており、
前記温湿度検出手段により得られる前記本体ケース外の前記湿度の値は、各前記運転モードに合わせてそれぞれ前記あらかじめ定められた湿度の補正値に基づいて、補正されることを特徴とする請求項１に記載の加湿空気清浄機。
【請求項３】
前記加熱手段がオフである場合に、前記送風手段が前記浄化された空気を排出させる能力の大小にかかわらず、前記あらかじめ定められた湿度の補正値は一定値であり、
前記加熱手段がオンである場合に、前記温湿度検出手段により得られる前記本体ケース外の前記湿度の値は、前記送風手段が前記空気を排出させる能力によりあらかじめ定められた湿度の補正値に基づいて補正されることを特徴とする請求項１または２に記載の加湿空気清浄機。
【請求項４】
前記あらかじめ定められた湿度の前記補正値は、前記温湿度検出手段により得られる前記本体ケース外の前記湿度の範囲ごとに、別々に設定されていることを特徴とする請求項３に記載の加湿空気清浄機。
【請求項５】
前記あらかじめ定められた湿度の前記補正値は、前記温湿度検出手段により得られる前記本体ケース外の温度の値に応じて、別々に設定されていることを特徴とする請求項４に記載の加湿空気清浄機。
【発明の詳細な説明】
【技術分野】
【０００１】
本発明は、浄化された空気を排出する空気清浄機能と室内を加湿する加湿機能を兼ね備えた加湿空気清浄機に関する。
【背景技術】
【０００２】
冬場の乾燥した空気を浄化する際に室内の湿度を適度に保つために加湿機能を備えた加湿空気清浄機が各種提案されている。なかでも加湿機能については、湿度センサを搭載して検出した湿度に基づいて制御を行う加湿器が、開示されている。特許文献１では、湿度センサの検出する現在温度と設定湿度とを比較して、その差に応じて加湿量を決定して、部屋の室温の状態に応じて加湿量の補正を行う加湿器のプログラムが開示されている。また、特許文献２では、湿度センサの検出する湿度に基づいて加湿運転を行い、一定の湿度の変化量を検知したときに加湿を停止する制御装置を有する加湿器が開示されている。
【先行技術文献】
【特許文献】
【０００３】
【特許文献１】特開平５−５２３９２号公報
【特許文献２】特開２００１−１０８２８２号公報
【発明の概要】
【発明が解決しようとする課題】
【０００４】
ところが、温度と湿度とを検出して実際の湿度を検出する湿度センサは、搭載する場所によって、加湿器のヒータが発する熱やモータが発する熱のような熱源を検出するので、実際の温度より高い気温であると誤検出してしまう。そして、実際の温度より高い気温の値に基づいて、湿度が計算されることになるために、実際の湿度よりも低い湿度値が計算されることから、適切な加湿運転を行えないことがある。
【０００５】
本発明は、上記に鑑みてなされたもので、その目的とするところは、空気清浄運転時に、適切な湿度値に補正して加湿を行うことができる加湿空気清浄機を提供することにある。
【課題を解決するための手段】
【０００６】
上記課題を達成するため、請求項１に記載の加湿空気清浄機は、本体ケースと、前記本体ケースに設けられて、浄化された空気を前記本体ケース外に排出させる送風手段を有する空気清浄機構（空気清浄部）と、水を加熱して蒸気を発生させる加熱手段を有する加湿機構（加湿部）と、前記本体ケース外の温度と湿度を検出する温湿度検出手段と、前記温湿度検出手段により得られる前記本体ケース外の前記湿度の値が、前記加熱手段のオン／オフと前記送風手段が前記浄化された空気を排出させる能力によりあらかじめ定められた湿度の補正値に基づいて補正される制御部と、を備えることを特徴とする。
【０００７】
請求項１に記載の加湿空気清浄機では、温湿度検出手段により得られる本体ケース外の湿度の値が、加熱手段のオン／オフと送風手段が浄化された空気を排出させる能力によりあらかじめ定められた湿度の補正値に基づいて補正される。このため、加湿機構の加熱手段を発熱して加湿しているかどうかと、送風手段が浄化された空気を排出させる能力に応じて、空気清浄運転時に、適切な湿度値に補正して加湿を行うことができる。
【０００８】
請求項２に記載の加湿空気清浄機では、前記加熱手段のオン／オフと前記送風手段が前記浄化された空気を排出させる能力に基づいて、運転モードが複数設定されており、前記温湿度検出手段により得られる前記本体ケース外の前記湿度の値は、各前記運転モードに合わせてそれぞれ前記あらかじめ定められた湿度の補正値に基づいて、補正されることを特徴とする。
【０００９】
請求項２に記載の加湿空気清浄機では、温湿度検出手段により得られる本体ケース外の湿度の値は、運転モードごとに湿度の補正値に基づいて細かく補正できる。
【００１０】
請求項３に記載の加湿空気清浄機では、前記加熱手段がオフである場合に、前記送風手段が前記浄化された空気を排出させる能力の大小にかかわらず、前記あらかじめ定められた湿度の補正値は一定値であり、前記加熱手段がオンである場合に、前記温湿度検出手段により得られる前記本体ケース外の前記湿度の値は、前記送風手段が前記空気を排出させる能力によりあらかじめ定められた湿度の補正値に基づいて補正されることを特徴とする。
【００１１】
請求項３に記載の加湿空気清浄機では、加熱手段がオフである場合には、湿度の補正値は一定値にしておく。一方、加熱手段がオンで加湿する場合には、温湿度検出手段により得られる本体ケース外の湿度の値は、送風手段が空気を排出する能力に応じて湿度の補正値を設定することができる。このため、加熱手段がオフである場合には、湿度の補正値は一定にして簡単化することができる。
【００１２】
請求項４に記載の加湿空気清浄機では、前記あらかじめ定められた湿度の前記補正値は、前記温湿度検出手段により得られる前記本体ケース外の前記湿度の範囲ごとに、別々に設定されていることを特徴とする。
【００１３】
請求項４に記載の加湿空気清浄機では、温湿度検出手段により得られる本体ケース外の湿度の値は、送風手段が空気を排出する能力に応じてだけではなく、湿度の範囲ごとに、別々に設定されるので、より細かな湿度の補正が行える。
【００１４】
請求項５に記載の加湿空気清浄機では、前記あらかじめ定められた湿度の前記補正値は、前記温湿度検出手段により得られる前記本体ケース外の温度の値に応じて、別々に設定されていることを特徴とする。
【００１５】
請求項５に記載の加湿空気清浄機では、温湿度検出手段により得られる本体ケース外の湿度の値は、送風手段が空気を排出する能力に応じてだけではなく、湿度の範囲ごとと、温度の値に応じて、別々に設定されるので、さらにより細かな湿度の補正が行える。
【発明の効果】
【００１６】
本発明によれば、空気清浄運転時に、適切な湿度値に補正して加湿を行うことができる加湿空気清浄機を提供できる。
【図面の簡単な説明】
【００１７】
【図１】本発明の好ましい第１実施形態の加湿空気清浄機の表面側を示す斜視図である。
【図２】加湿空気清浄機の裏面側を示す斜視図である。
【図３】加湿空気清浄機の機能部を示すブロック図である。
【図４】図４（Ａ）は、加湿空気清浄機の運転時の状態遷移の例等を示し、図４（Ｂ）は、図３に示す加湿空気清浄機のメモリにおいて、あらかじめ記憶されている相対湿度の補正例（１）のテーブルＴ１を示す図である。
【図５】湿度補正の遷移パターン例をいくつか示す図である。
【図６】加湿空気清浄機が電源オフ状態から電源オン状態になるまでの状態遷移を示す図である。
【図７】本発明の第２実施形態を示す図である。
【図８】本発明の第３実施形態を示す図である。
【発明を実施するための形態】
【００１８】
以下、図面を用いて、本発明を実施するための形態(以下、実施形態と称する)を説明する。
【００１９】
（第１実施形態）
図１は、本発明の好ましい第１実施形態の加湿空気清浄機１の表面側を示す斜視図である。図２は、加湿空気清浄機１の裏面側を示す斜視図である。
【００２０】
図１と図２に示す加湿空気清浄機１は、加湿機能と空気清浄機能の２つの性能を備える空気清浄機である。加湿空気清浄機１は、本体ケース２と、空気清浄機構５０と、加湿機構６０を有する。空気清浄機構５０は空気清浄部ともいい、図では空気清浄部と表記し、加湿機構６０は加湿部ともいい、図では加湿部と表記している。空気清浄機構５０と加湿機構６０は、本体ケース２内に配置されている。本体ケース２は、外気の空気を空気清浄機構５０へ吸い込むための吸込口７０と、空気清浄機構５０により清浄された空気を本体ケース２の外に排出するための排出口７１を有する。
【００２１】
図１と図２に示すように、この吸込部７０は、本体ケース２の前面側の左右側部にそれぞれ形成されている。図２に示すように、排出口７１は、本体ケース２の天面以外の部分に設けられた例えば背面側の凹部７９内の面に形成されている。
【００２２】
加湿機構６０は本体ケース２の上方の位置に配置し、空気清浄機構５０は本体ケース２の下方の位置に配置している。これにより、加湿機構６０を本体ケース２の下方に配置するのに比べて加湿機構６０から余計な蒸気経路を設定する必要がなく、本体ケース２内の構造が簡単になる。また、加湿機構６０では、水タンクの装着・脱着が容易となり、水補給のタイミングも分かりやすい。
【００２３】
もし、排出口を本体ケースの天面に設けると、水タンクの装着・脱着の際に、水タンクから垂れた水の他に、異物やごみ等が排出口から入り込み易くなり、回路基板等に不具合をおこしてしまうおそれがある。そこで、図２に示すように、加湿空気清浄機１では、本体ケース２から排出する清浄化された空気は、本体ケース２の天面以外の部分、例えば背面側の凹部７９内の面に形成された排出口７１から排出させる。しかも、加湿機構６０が本体ケース２の上方に配置される構造であるので、排出口７１への水等の侵入を防ぎつつ、加湿機能と空気清浄機能の２つの性能を確保している。
【００２４】
温湿度センサを含むセンサ部４０は、図１の破線で例示するように、吸込口７０の付近に配置されても良いし、図２の破線で例示するように、排出口７１の付近に配置されていても良い。もし、温湿度センサを含むセンサ部を、例えば本体ケースの下部に配置しようとすると、センサ部は制御部から遠い位置になることから電気配線が長くなってノイズを拾うおそれがあるので、望ましくはない。
【００２５】
図１に示すように、加湿機構６０は、好ましくは、空気清浄機構５０のファンとモータとフィルタよりも上方に配置されている。これにより、加湿機構６０から水が空気清浄機構５０にかかることが無くなり、加湿機構６０により加湿機能を即時に発揮することができる。
【００２６】
浄化された空気は、本体ケース２の背面もしくは側面に設けられた排出口７１から斜め上方に排出される。これにより、実際に加湿空気清浄機１を使用する上で、本体ケース２は、部屋の隅に置かれることが多く、浄化された空気が排出されて部屋の壁面に沿うような循環流を得ることができるため、部屋全体の空気の均質化のための時間短縮が図れる。
【００２７】
加湿機構６０は、ヒータを有する加熱式加湿機構である。この加熱式加湿機構は、超音波式の加湿機構に比べて、高い殺菌性を有し、衛生面で優れている。加湿機構６０の蒸気は、前面斜め上方向に放出される。これにより、加湿機構６０の放出方向がユーザから見て手前側になり、ユーザは蒸気をより感じやすくなる。温湿度センサ４５が検出する温度と湿度の精度を上げるためには、温湿度センサ４５が配置される部屋の内部の空気を換気し、温湿度センサ４５は、できるだけ部屋の内部の窓に近づけて配置し、必要に応じて断熱材を配置することが望ましい。
【００２８】
次に、図３を参照して、加湿空気清浄機１の各機能部について説明する。図３は、加湿空気清浄機１の各機能部を示すブロック図である。
【００２９】
図３に示すように、加湿空気清浄機１は、制御部１０と、記憶部としてのメモリ１１と、入力部２０と、表示部３０と、温湿度センサ４５を含むセンサ部４０と、空気清浄機構５０と、加湿機構６０の各機能部を有する。図３に示す各機能部は、加湿空気清浄機１には最低限必要なものであるが、必要に応じて、様々な機能部を新たに追加できる。
【００３０】
制御部１０は、加湿空気清浄機１の動作を制御する。この制御部１０は、主にマイクロコンピュータを用いており、制御部１０は、各機能部とは１対１で接続されても良いし、共通の配線により各機能部が接続されるバス方式であっても良い。また、制御部１０と各機能部は、直接接続されていても良いし、専用ＩＣを介して接続されても良い。
【００３１】
図３に示す入力部２０は、主にスイッチ（ＳＷ）等を有し、電源スイッチ２１と、風量切替スイッチ２２と、加湿切替スイッチ２３を有する。電源スイッチ２１は、加湿空気清浄機１を運転させるときに電源のオンオフをするためのスイッチである。加湿空気清浄機１の工場出荷時は、加湿空気清浄機１は標準運転を行い、加湿器も標準運転を行う。その後は、直前に選択したモードをメモリ１１に記憶して使用する。
【００３２】
風量切替スイッチ２２は、空気清浄機構５０のモータ５１の回転数を切り替えて、浄化された空気の送風時の風量を切り替える。すなわち、風量切替スイッチ２２は、送風手段であるモータ５１が浄化された空気を排出させる能力を切り替えることができる。この風量切替スイッチ２２を押下げする毎に、風量（排出させる能力）は、「標準」、「強」、「静音（弱）」の順番で切り替わる。
【００３３】
図３に示す加湿切替スイッチ２３は、加湿機構６０の動作モードを選択するスイッチである。この加湿切替スイッチ２３を押下げする毎に、「標準モード」、「うるおいモード」、「加湿オフモード」の順番で加湿モードが切り替わる。加湿器６０の動作は、湿度がある一定値以下になると動作して、別のある一定値以上になると動作をやめる間欠運転を行う。「うるおいモード」は、「標準モード」よりも湿度の高い状態を維持するように運転を行う。具体的には、「標準モード」では湿度５５％ＲＨで加湿動作がオフとなり、４４％ＲＨで加湿動作がオンとなる。「うるおいモード」では、湿度６５％ＲＨで加湿動作がオフとなり、５４％ＲＨで加湿動作がオンとなる。
【００３４】
風量切替スイッチ２２と、加湿切替スイッチ２３の押下によって切り替わる各モードの順番は、先に説明した順番とは異なる順番で切り替わっても良い。
【００３５】
図３に示す表示部３０は、温度表示部３１と、加湿運転表示部３２を有する。温度表示部３１は、部屋の温度がどのくらいかを表示し、液晶表示装置等を用いて値を表示しても良いし、ＬＥＤ（発光ダイオード）を用いて大体の湿度を表示しても良い。加湿運転表示部３２は、加湿機構６０が動作している否かを表示する。
【００３６】
空気清浄機構５０は、モータ５１と、モータ５１の駆動軸に固定されたファン５２を有し、モータ５１の駆動軸が制御部１０の指令により所定の回転数で回転駆動することで、ファン５２が回転して空気清浄を行う。ファン５２が回転すると、外気を図１に示す本体ケース２の吸気口７０を通じて本体ケース２内に吸引して、浄化された空気を排出口７１から排出するための送風手段である。この吸い込んだ空気は、本体ケース２内に配置されたフィルタにより浄化され、フィルタにて浄化された空気は、排出口７１より本体ケース２の外に排出させる。
モータ５１の回転数は、風量切替スイッチ２２を押下することによって変化し、風量が「強」、「標準」、「静音」と変化するのに伴い回転数は低くなる。
【００３７】
図３に示す加湿機構６０は、加湿を行うために、水タンクに溜めた水を沸騰させるためのヒータ６１を有する。加湿機構６０の構造例としては、水タンクに貯留された水は、水受けトレイにより受ける。加熱手段としてのヒータ６１は、通電することで熱を発生して、水受けトレイ内の水を加熱して加湿用の蒸気を発生させる。この蒸気は、図１に示す本体ケース２の上面にある排出部から排出される。
【００３８】
図３に示すセンサ部４０は、第１温度センサ４１と、第２温度センサ４２と、湿度センサ４３を有する。第１温度センサ４１は、外気の温度を検出して、得られた外気温度情報Ｔ１は、制御部１０へ送る。第２温度センサ４２は、加湿機構６０のヒータ６１付近に配置されてヒータ６１の温度を検出して、検出したヒータ温度情報Ｔ２は、制御部１０へ送る。湿度センサ４３は、外気の湿度を検出して、得られた外気湿度情報Ｈは、制御部１０へ送る。
【００３９】
第１温度センサ４１と湿度センサ４５は、同じ場所に配置されており、第１温度センサ４１と湿度センサ４３は、温湿度検出手段としての温湿度センサ４５を構成している。第１温度センサ４１と湿度センサ４３から構成される温湿度センサ４５は、本体ケース２の外部の温度と湿度を検出する。この温湿度センサ４５は、本体ケース２の外気の温度や外気の湿度を検知し易いように、図１と図２に例示するように、加湿空気清浄機１の本体ケース２の吸込口７０付近または排出口７１付近に配置されるのが望ましい。
【００４０】
空気清浄機構５０のモータ５１を回転駆動することで、本体ケース２の周辺の空気が吸込口７０から吸引され、空気清浄機構５０で浄化された空気は排出口７１から排気される。周辺の空気が含んでいる水蒸気量は、本体ケース２内に取り込まれてもほとんど変わらない。
【００４１】
しかし、本体ケース２の内部の温度は、モータ５１の回転によるモータ５１の過熱や、加湿機構６０を稼働して加湿運転する時のヒータ６１の過熱等で、周辺温度よりも高めになる。従って、本体ケース２の内部の温度は、周辺温度よりも高めになることから、温湿度センサ４５が感じる温度に基づいて測定した水蒸気量は、相対湿度に変換するときに誤差が生じる。相対湿度の補正値は、温度と湿度の組み合わせで決まり、補正値は、高温低湿のときが小さく、低温多湿のときが大きい。
【００４２】
なお、湿度センサ４３は、例えば１０ｍｓｅｃ毎に検出した外気湿度情報Ｈは、制御部１０へ送り、制御部１０は、直近の外気湿度情報Ｈについての３２回分の平均湿度を現在の湿度として、制御に使用する。第１温度センサ４１と第２温度センサ４２についても、同様の動作を行うことができる。
【００４３】
図４（Ａ）は、加湿空気清浄機１の運転時の状態遷移の例等を示し、図４（Ｂ）は、図３に示す加湿空気清浄機１のメモリ１１において、あらかじめ記憶されている相対湿度の補正例（１）のテーブルＴ１を示している。図４（Ｂ）では、第1運転モードＭ１から第６運転モードＭ６について、風量と、加湿機構４のヒータ６１のオン／オフと、相対湿度の補正値を示している。
【００４４】
加湿空気清浄機１は、図４（Ｂ）において相対湿度の補正例（１）のテーブルＴ１に示すように、例えば６つの運転モードＭ１からＭ６を有する。
【００４５】
相対湿度の補正例（１）のテーブルＴ１に示す第１運転モードＭ１では、加湿機構４のヒータ６１の通電がオフ（加湿運転なし）で、空気清浄機構５０の風量は「強」の状態である。第２運転モードＭ２では、加湿機構４のヒータ６１の通電がオフ（加湿運転なし）で、空気清浄機構５０の風量は「標準」の状態である。第３運転モードＭ３では、加湿機構４のヒータ６１の通電がオフ（加湿運転なし）で、空気清浄機構５０の風量は「静音」の状態である。
【００４６】
第４運転モードＭ４では、加湿機構４のヒータ６１の通電がオン（加湿運転あり）で、空気清浄機構５０の風量は「強」の状態である。第５運転モードＭ５では、加湿機構４のヒータ６１の通電がオン（加湿運転あり）で、空気清浄機構５０の風量は「標準」の状態である。第６運転モードＭ６では、加湿機構４のヒータ６１の通電がオン（加湿運転あり）で、空気清浄機構５０の風量は「静音」の状態である。
【００４７】
相対湿度の補正例（１）のテーブルＴ１に示す具体的な相対湿度の補正値（％ＲＨ）は、図３の空気清浄機構５０の風量（すなわち、浄化された空気を排出させる能力）と、図３の加湿機構６０のヒータ６１に対する通電のオン／オフに応じて、あらかじめ実験により、平均的に決めておく。
【００４８】
＜相対湿度の補正例（１）＞
図４（Ａ）に示す相対湿度の補正例（１）において、ヒータ６１がオフ状態（第１運転モードＭ１から第３運転モードＭ３）の場合には、空気清浄機構５０の全ての風量に対して、一律に、あらかじめ定めた相対湿度の補正値、例えば相対湿度の補正値＝＋４．７％ＲＨが、適用される。
【００４９】
また、ヒータ６１がオン状態（第４運転モードＭ４から第６運転モードＭ６）の場合には、第４運転モードＭ４における空気清浄機構５０の風量が「強」の状態では、あらかじめ定めた相対湿度の補正値、例えば相対湿度の補正値＝＋ｂ％ＲＨ（例えば、＋４．６％ＲＨ）が、適用される。第５運転モードＭ５における空気清浄機構５０の風量が「標準」の状態では、あらかじめ定めた相対湿度の補正値、例えば相対湿度の補正値＝＋ａ％ＲＨ（例えば、＋７．５％ＲＨ）が、適用される。第６運転モードＭ６における空気清浄機構５０の風量が「静音」の状態では、あらかじめ定めた相対湿度の補正値、例えば相対湿度の補正値＝＋ｃ％ＲＨ（例えば、＋８．５％ＲＨ）が、適用される。
【００５０】
このように、図４（Ｂ）に示す相対湿度の補正例（１）は、空気清浄機構５０の風量のみを考慮して、相対湿度の補正値を決めている。
【００５１】
図４（Ａ）を参照して、図３のヒータ６１がオンしていて加湿機構６０が加湿運転されている第４運転モードＭ４から第６運転モードＭ６について、加湿空気清浄機１の運転時の状態遷移の例を簡単に説明する。
【００５２】
図４（Ａ）のステップＳ１では、加湿空気清浄機１は、例えば５分未満の間は「標準運転」をしている。この「標準運転」が例えば５分以上を経過すると、ステップＳ２のように、加湿空気清浄機１は「標準運転」しながら、相対湿度の値が相対湿度の補正値＝＋ａ％ＲＨだけ補正される。
【００５３】
そして、図３に示す風量切替スイッチ２２が押し下げられると、ステップＳ３では、加湿空気清浄機１は、「標準運転」から「強運転」に変わって、例えば５分未満の間は「強運転」で運転される。この「強運転」が例えば５分以上を経過すると、ステップＳ４のように、加湿空気清浄機１は「強運転」しながら、相対湿度の値が相対湿度の補正値＝＋ｂ％ＲＨだけ補正される。
【００５４】
さらに、図３に示す風量切替スイッチ２２が押し下げられると、ステップＳ５では、加湿空気清浄機１は、「強運転」から「静音運転」に変わって、例えば５分未満の間は「静音運転」で運転される。この「静音運転」が例えば５分以上を経過すると、ステップＳ６のように、加湿空気清浄機１は静音運転しながら、相対湿度の値が相対湿度の補正値＝＋ｃ％ＲＨだけ補正される。そして、図３に示す風量切替スイッチ２２がさらに押し下げられると、ステップＳ１の「標準運転」状態に戻る。
【００５５】
次に、図５は、湿度の補正をする場合に、湿度の補正値を加える際の遷移パターン例をいくつか示している。
【００５６】
図５（Ａ）では、加湿空気清浄機１の標準運転から、例えば５分後に、図３に示す温湿度センサ４５の湿度センサ４３が検出した相対湿度Ｈ１に対して、相対湿度の補正値Ａを一度に加算して、相対湿度の値が既定の相対湿度（Ｈ１＋Ａ）になるように補正した例を示している。
【００５７】
図５（Ｂ）では、加湿空気清浄機１の標準運転から、例えば５分後に、図３に示す温湿度センサ４５の湿度センサ４３が検出した相対湿度Ｈ１が、既定の相対湿度（Ｈ１＋Ａ）になるように、補正値Ａをリニアに変化させて加算して、相対湿度の値が既定の相対湿度（Ｈ１＋Ａ）になるように補正した例を示している。
【００５８】
図５（Ｃ）では、加湿空気清浄機１の標準運転から、例えば５分間で、図３に示す温湿度センサ４５の湿度センサ４３が検出した相対湿度Ｈ１が、既定の相対湿度になるように、補正値Ａを所定時間毎に階段状に変化させて加算して、相対湿度の値が既定の相対湿度（Ｈ１＋Ａ）になるように補正した例を示している。
【００５９】
図６は、加湿空気清浄機１が電源オフ状態から電源オン状態になるまでの状態遷移を示す図である。図６に示すように、図３に示す電源スイッチ２１をオンして電源を入れると、温湿度センサ（温度湿度センサ）４５の値に基づいて、相対湿度の補正のモードを選択することで、加湿空気清浄機１は通常運転を行う。加湿空気清浄機１の通常運転をオフにするには、電源をオフにする。
【００６０】
図３に示す加湿空気清浄機１の本体ケース２内に設置した温湿度センサ４５は、本体ケース２の外部の温度と湿度を検出する。しかし、この温湿度センサ４５は、加湿空気清浄機１のモータ５１の熱や加湿運転時の加湿用のヒータ６１の過熱等の影響により、温湿度センサ４５が検出した外部の温度と湿度は、加湿空気清浄機１が置かれている部屋の室内環境の温湿度とは異なる値が測定されてしまう。
【００６１】
そこで、本発明の第１実施形態の加湿空気清浄機１では、図４に例示するように、４５加湿空気清浄機１の運転モードごとに、湿度の補正値をあらかじめ決めてある。温湿度センサ４５が測定した温湿度の値に対して、湿度の補正値を加えることで、精度よく室内環境の湿度を測定することができる。正確に見積もった室内環境の情報を基にして、加湿空気清浄機１は、加湿運転を自動的にオン／オフする等の装置制御が可能になる。
【００６２】
加湿空気清浄機１が使用される環境としては、例えば温度が５℃から３５℃で、相対湿度が３０％ＲＨから６０％ＲＨを想定しているが、湿度の補正値を決めておけば、加湿空気清浄機１は、広範囲の環境で適用することができる。
【００６３】
（他の実施形態）
次に、本発明の実施形態２と実施形態３を説明する。
【００６４】
本発明の実施形態２と実施形態３は、上述した本発明の第１実施形態の場合に比べて、相対湿度の補正が、さらに詳しくできるようになっている。図７は、相対湿度の補正例（２）を示し、図８は、相対湿度の補正例（３）を示している。
【００６５】
（実施形態２）
＜相対湿度の補正例（２）＞
上述した図４に示す相対湿度の補正例（１）に比べて、別のより補正精度を高くした補正例として、図７には相対湿度の補正例（２）を示している。図７では、第1運転モードＭ１から第６運転モードＭ６について、風量と、加湿機構４のヒータ６１のオン／オフと、湿度センサ４３が検出する湿度の値の範囲の違いによる相対湿度の補正値を示している。相対湿度の補正例（２）のテーブルＴ２は、図３に示す加湿空気清浄機１のメモリ１１に、あらかじめ記憶されている。
【００６６】
相対湿度の補正例（２）では、第１運転モードＭ１から第６運転モードＭ６において、加湿機構４の運転モード（ヒータ６１のオン／オフ）と、空気清浄機構５０の風量（浄化された空気を排出させる能力）だけではなく、図３に示す温湿度センサ４５の湿度センサ４３が検出する湿度の値の範囲の違いにより、あらかじめ定めた相対湿度の補正値が、より細かく設定されている。すなわち、あらかじめ定めた相対湿度の補正値は、湿度範囲ごとに、細かく設定されている。これにより、相対湿度は、より細かく制御することができ、加湿空気清浄機１が置かれている部屋の室内の実際の相対湿度と、補正した後の補正後の相対湿度の値を近づけることができる。
【００６７】
（実施形態３）
＜相対湿度の補正例（３）＞
また、相対湿度の補正例（２）に比べて、さらに別のより補正精度を高くした補正例として、図８には相対湿度の補正例（３）を示している。図８では、第1運転モードＭ１から第６運転モードＭ６について、風量と、加湿機構４のヒータ６１のオン／オフと、湿度センサ４３が検出する湿度の値の範囲の違いに加えて、さらには第１温度センサ４１が検出する機内温度の値の違いに応じた相対湿度の補正値を示している。相対湿度の補正例（３）は、第１運転モードＭ１から第６運転モードＭ６のいずれのモードにおいて、加湿機構４の運転モード（ヒータ６１のオン／オフ）と、空気清浄機構５０の風量（浄化された空気を排出させる能力）だけではなく、図３に示す温湿度センサ４５の湿度センサ４３が検出する湿度の値の範囲の違いに加えて、さらには温湿度センサ４５の第１温度センサ４１が検出する温度の値の違いに応じて、相対湿度の補正をさらに細かく行っている。相対湿度の補正例（３）のテーブルＴ３は、図３に示す加湿空気清浄機１のメモリ１１に、あらかじめ記憶されている。
【００６８】
相対湿度の補正例（３）のテーブルＴ３では、本体ケース２の機内の温度が２０度未満である場合と、２０℃以上である場合に分けて、それぞれの温度の範囲で湿度の値の範囲の違いにより、あらかじめ定めた相対湿度の補正値が異なっている。すなわち、あらかじめ定めた相対湿度の補正値は、湿度範囲ごとに、細かく設定されている。これにより、相対湿度は、より細かく制御することができ、加湿空気清浄機１が置かれている部屋の室内の実際の相対湿度と、補正した後の補正後の相対湿度の値を近づけることができる。
【００６９】
上述したように、図４に示す相対湿度の補正例（１）のテーブルＴ１では、相対湿度の補正は、空気清浄機構５０の風量（浄化された空気を排出させる能力）に対してのみ行われているので、最もシンプルである。図７に示す相対湿度の補正例（２）のテーブルＴ２では、相対湿度の補正は、空気清浄機構５０の風量（浄化された空気を排出させる能力）と湿度の範囲の値に応じて、それぞれ別々の湿度の補正値を設定して行われている。図８に示す相対湿度の補正例（３）のテーブルＴ３では、相対湿度の補正は、空気清浄機構５０の風量（浄化された空気を排出させる能力）と湿度の範囲の値と、さらには温度の値に応じて、それぞれ別々の湿度の補正値を設定して行われている。
【００７０】
メモリ１１には、相対湿度の補正例（１）のテーブルから相対湿度の補正例（３）のテーブルのいずれか１つだけを記憶させることができる。あるいは、メモリ１１には、２つのテーブルを記憶させても良いし、相対湿度の補正例（１）のテーブルから相対湿度の補正例（３）のテーブルの全てを記憶させても良い。これにより、メモリ１１から任意のテーブルを選択して、加湿空気清浄機１を動作させることができる。
【００７１】
ここで、ヒータ６１がオフの場合とヒータ６１がオンのときに、相対湿度の補正なしの場合と、上述した相対湿度の補正例（１）から相対湿度の補正例（３）の各補正を行った場合において、それぞれの湿度補正の効果について簡単に説明する。
【００７２】
ヒータ６１がオフの時には、相対湿度の補正なしでは、相対湿度のずれ量（％ＲＨ）は、５．２１であり、相対湿度の補正例（１）では２．５４であり、相対湿度の補正例（２）では２．３であり、相対湿度の補正例（３）では１．８１である。このように、ヒータ６１がオフであるときに、相対湿度の補正なしから相対湿度の補正例（１）から相対湿度の補正例（３）に至るに従って、順に相対湿度のずれ量を低減できるので、相対湿度の精度を上げることができる。
【００７３】
また、ヒータ６１がオンの時には、相対湿度の補正なしでは、相対湿度のずれ量（％ＲＨ）は、７．４２であり、相対湿度の補正例（１）では２．９９であり、相対湿度の補正例（２）では２．１９であり、相対湿度の補正例（３）では１．４３である。このように、ヒータ６１がオンであるときに、相対湿度の補正なしから相対湿度の補正例（１）から相対湿度の補正例（３）に至るに従って、順に相対湿度のずれ量を低減できるので、相対湿度の精度を上げることができる。
【００７４】
本発明の実施形態の加湿空気清浄機１は、本体ケース２と、本体ケース２に設けられて、浄化された空気を本体ケース２外に排出させる送風手段５３を有する空気清浄機構５０と、水を加熱して蒸気を発生させる加熱手段としてのヒータ６１を有する加湿機構６０と、本体ケース２外の温度と湿度を検出する温湿度検出手段としての温湿度センサ４５と、温湿度検出センサ４５により得られる本体ケース２外の湿度の値が、ヒータ６１のオン／オフと送風手段５３が浄化された空気を排出させる能力によりあらかじめ定められた湿度の補正値に基づいて補正される制御部１０を備える。
【００７５】
これにより、加湿空気清浄機１では、温湿度検出センサ４５により得られる本体ケース２外の湿度の値が、ヒータ６１のオン／オフと送風手段５３が浄化された空気を排出させる能力によりあらかじめ定められた湿度の補正値に基づいて補正される。このため、温湿度検出センサ４５は、加湿機構６０のヒータ６１を発熱して加湿しているかどうかと、送風手段５３が浄化された空気を排出させる能力に応じて、空気清浄運転時に、適切な湿度値に補正して加湿を行うことができる。
【００７６】
ヒータ６１のオン／オフと送風手段５３が浄化された空気を排出させる能力に基づいて、例えば運転モードＭ１からＭ６が設定されており、温湿度検出センサ４５により得られる本体ケース２外の湿度の値は、各運転モードに合わせてそれぞれあらかじめ定められた湿度の補正値に基づいて、補正される。これにより、温湿度検出センサ４５により得られる本体ケース２外の湿度の値は、運転モードごとに湿度の補正値に基づいて細かく補正できる。
【００７７】
図４に例示するように、ヒータ６１がオフである場合に、送風手段５３が浄化された空気を排出させる能力の大小にかかわらず、あらかじめ定められた湿度の補正値は一定値である。一方、ヒータ６１がオンである場合に、温湿度センサ４５により得られる本体ケース２外の湿度の値は、送風手段５３が空気を排出させる能力、すなわち空気清浄機構５０の風量によりあらかじめ定められた湿度の補正値に基づいて補正される。これにより、ヒータ６１がオフである場合には、湿度の補正値は一定値にしておく。一方、ヒータ６１がオンで加湿する場合には、温湿度検出手段により得られる本体ケース２外の湿度の値は、送風手段５３が空気を排出する能力に応じて湿度の補正値を設定することができる。このため、加熱手段としてのヒータ６１がオフである場合には、湿度の補正値は一定にして簡単化することができる。
【００７８】
図７に例示するように、あらかじめ定められた湿度の補正値は、送風手段５３が空気を排出させる能力、すなわち空気清浄機構５０の風量に応じて設定されているだけでなく、温湿度検出センサ４５により得られる本体ケース２外の湿度の範囲ごとに、別々に設定されている。これにより、温湿度検出手段により得られる本体ケース２外の湿度の値は、送風手段５３が空気を排出する能力に応じてだけではなく、湿度の範囲ごとに、別々に設定されるので、より細かな湿度の補正が行える。
【００７９】
図８に例示するように、あらかじめ定められた湿度の補正値は、送風手段５３が空気を排出させる能力、すなわち空気清浄機構５０の風量に応じて設定されているだけでなく、温湿度検出センサ４５により得られる本体ケース２外の湿度の範囲ごとと、温湿度検出手段により得られる本体ケース２外の温度の値に応じて、別々に設定されている。これにより、温湿度検出手段により得られる本体ケース内の湿度の値は、送風手段５３が空気を排出する能力に応じてだけではなく、湿度の範囲ごとと、温度の値に応じて、別々に設定されるので、さらにより細かな湿度の補正が行える。
【００８０】
以上、実施形態を挙げて本発明を説明したが、各実施形態は一例であり、特許請求の範囲に記載される発明の範囲は、発明の要旨を逸脱しない範囲内で種々変更できるものである。
【００８１】
例えば、上述した加湿空気清浄機の制御部では、ヒータ６１に対する通電がオフの場合に第１運転モードＭ１から第３運転モードＭ３が設定され、ヒータ６１に対する通電がオンの場合に第４運転モードＭ４から第６運転モードＭ６が設定されている。しかし、ヒータ６１がオフの場合とオンの場合に、それぞれ１または２つあるいは４つ以上の運転モードを設定するようにしてもよい。本体ケース２における加湿機構の配置位置やセンサ部４０の配置位置は、図示例に限定されない。
【符号の説明】
【００８２】
１      加湿空気清浄機
２      本体ケース
１０    制御部
１１    メモリ（記憶部）
４０    センサ部
４１    第１温度センサ
４３    湿度センサ
４５    温湿度センサ（温湿度検出手段）
５０    空気清浄機構（空気清浄部）
５１    モータ（送風手段５３）
５２    ファン（送風手段５３）
６０    加湿機構（加湿部）
６１    ヒータ
７０      吸気口
７１    排出口
【図１】
2018040528.tif 000003
【図２】
2018040528.tif 000004
【図３】
2018040528.tif 000005
【図４】
2018040528.tif 000006
【図５】
2018040528.tif 000007
【図６】
2018040528.tif 000008
【図７】
2018040528.tif 000009
【図８】
2018040528.tif 000010